(57)【要約】【課題】多入力画像信号の記録・再生装置において、従来装置の流用率が高く、且つ、検索等データの取り扱いが容易な画像処理装置を提供すること。【解決手段】本発明に係る画像処理装置は、複数の入力が多重化された画像信号を、画像信号毎の特徴情報を基に分離する手段と、分離された複数の入力信号それぞれを個別のオブジェクトとして符号化する手段と、複数の入力画像信号毎に固有な各種パラメータを、各画像信号に対応したオブジェクトの属性情報として付加する手段とを有することを特徴とする。【選択図】図１
2005203833.tif 000002
【特許請求の範囲】
【請求項１】
入力された画像を符号化し記録する画像処理装置であって、
複数の入力が多重化された画像信号を、画像信号毎の特徴情報を基に分離する手段と、分離された画像信号それぞれを符号化する手段を具備することを特徴とする画像処理装置。
【請求項２】
入力された画像を符号化し記録する画像処理装置であって、
複数の入力画像信号それぞれを個別のオブジェクトとして符号化する手段と、複数の入力画像信号毎に固有な各種パラメータを、各画像信号に対応したオブジェクトの属性情報として付加する手段を具備することを特徴とする画像処理装置。
【請求項３】
画像信号毎の特徴情報として、各画像信号源から送信される情報を用いることを特徴とする請求項１記載の画像処理装置。
【請求項４】
画像信号毎の特徴情報として、ユーザーインターフェイスによりユーザーが設定する情報を用いることを特徴とする請求項１記載の画像処理装置。
【請求項５】
入力された符号化画像信号を復号し再生する画像処理装置であって、
符号化画像信号を復号し、画像信号毎の複数のオブジェクトに分離する手段と、各オブジェクトの属性情報を読み取り、再生時のオブジェクト表示処理に利用する手段を具備することを特徴とする画像処理装置。
【発明の詳細な説明】
【技術分野】
【０００１】
本発明は、監視・観察用の、複数の入力を想定した動画像の画像処理装置に関する。
【背景技術】
【０００２】
防犯用監視システムのような、多数のカメラで同時に撮影した画像を再生・記録したりするといった用途では、従来、複数のカメラ及びそれらを接続し、画面の切り替えや複数画面の同時表示を行うマルチプレクサ／フレームスイッチャ、画像を長時間記録できるタイムラプスビデオレコーダによる構成が一般的である。
【０００３】
又、従来のテープメディアを利用したアナログ記録のタイムラプスビデオレコーダは、テープメディアの扱いづらさや耐久性の問題、検索のしにくさといった欠点があり、近年は画像をデジタル圧縮符号化して記録するデジタルビデオレコーダーへ置き換わりつつある。
【０００４】
但し、動画像の圧縮符号化の効率を高めるために前後のフレーム間の相関関係を利用して圧縮率を高めるフレーム間圧縮方式は、画面の切り替えが頻繁に行われるこのような方式において適用しにくい。これを解決するために特許文献１の「画像処理装置、画像記録装置および画像再生装置」や特許文献２の「映像多重装置」では、各画像信号を画像の特定領域に割り当てて記録し再生時に戻すことにより、前後フレームでの相関関係を保ちつつ画像間の切り替えを可能にしている。
【０００５】
【特許文献１】特開２００２−２７３９３号公報
【特許文献２】特開平１１−２４３５２８号公報
【発明の開示】
【発明が解決しようとする課題】
【０００６】
しかし、これらは基本的には記録方式をアナログからデジタルにただ置き換えただけで、データ検索の容易性等、デジタル記録のメリットを活かし切れていない。又、上記従来例は記録装置が多入力であることが前提となっているが、従来のシステムからの拡張を考えると、アナログ出力マルチプレクサをそのまま利用し、順次ないし領域分割により多重化された単一のアナログ画像信号を入力として、後段で画像信号を分離した後、フレーム間圧縮やストリームごとの情報整理ができる方が、高価なマルチプレクサ機器を買い換える必要が発生せず、コストの観点から望ましい。
【０００７】
本発明は上記事情に鑑みてなされたもので、その目的とする処は、多入力画像信号の記録・再生装置において、従来装置の流用率が高く、且つ、検索等データの取り扱いが容易な画像処理装置を提供することにある。
【課題を解決するための手段】
【０００８】
本発明に係る画像処理装置は、複数の入力が多重化された画像信号を、画像信号毎の特徴情報を基に分離する手段と、分離された複数の入力信号それぞれを個別のオブジェクトとして符号化する手段と、複数の入力画像信号毎に固有な各種パラメータを、各画像信号に対応したオブジェクトの属性情報として付加する手段とを有することを特徴とする。
【発明の効果】
【０００９】
発明によれば、従来のシステム構成からの変更を少なく抑え、低コストにデジタル記録システムを構成できる。又、デジタル記録再生環境の特徴であるデータのフレキシビリティを高めたシステムを構成できる。
【発明を実施するための最良の形態】
【００１０】
図１は本発明の特徴を最も良く表す図面であり、同図において、１０１は被写体を撮影し画像信号を出力するカメラ、１０２は複数の画像信号を多重化し単一の画像信号にする多重化器、１０３は多重化された画像信号を分離する分離器、１０４は分離された画像信号毎に符号化を行う符号化器、１０５は符号化された画像信号を多重化して単一の符号化データにする多重化器、１０６は符号化データを記録媒体に記録する記録器である。
【実施例１】
【００１１】
上記構成において、カメラ１０１が撮影した画像は画像信号として多重化器１０２に送信される。本例ではカメラが４台あるものとすると、多重化器は図４のようにそれぞれのカメラの画像２０２，２０３，２０４，２０５を順に切り替えて表示する形態や、図３の２０１のように、４台のカメラの画像を１フレームに同時に表示する形態等で単一の画像信号にまとめられる。分離器１０３は、このような入力画像信号の特徴を画像解析や、外部からの指示を基に判別し、再び複数の画像信号に分離し、それぞれ別の符号化器１０４に送る。符号化器１０４は、それらを個別に符号化し、符号化信号を出力する。多重化器１０５は個々の符号化器からの符号化信号を多重化し、単一の符号化信号を出力する。記録器は符号化信号を記録メディアに記録する。
【実施例２】
【００１２】
上記構成において、分離器１０３により分離された画像信号を符号化器１０４においてそれぞれが固有の属性を持つオブジェクトとして符号化を行う。その際、カメラ１０１及び多重化器１０２、分離器１０３により得られる画像信号毎の、撮影位置等のパラメータをオブジェクトの属性として付加する。
【実施例３】
【００１３】
図３の構成において、実施例１及び２によって記録された符号化信号を読み出し、分離器３０１の入力とする。分離器３０１は、符号化信号を複数の符号化信号に分離し、個別に復号器３０２に出力する。復号器３０２は、それぞれ符号化信号を復号し画像信号を出力する。多重化器３０３は、復号器３０２から入力された複数の画像信号を、図３のように１フレーム内に配置したり、図４のようにフレーム毎に画像信号を切り替える等の手法を用いて多重化した画像信号を出力する。ディスプレイ３０４は画像信号を画面表示する。
【産業上の利用可能性】
【００１４】
本発明は、監視・観察用の、複数の入力を想定した動画像の画像処理装置に対して利用可能性が高い。
【図面の簡単な説明】
【００１５】
【図１】本発明の実施例１，２に係る画像処理装置の機能ブロックを説明する図である。
【図２】本発明の実施例３に係る画像処理装置の機能ブロックを説明する図である。
【図３】複数の画像信号を１つに多重化する手法として、１フレームに配置した場合の例を示す図である。
【図４】複数の画像信号を１つに多重化する手法として、フレーム毎に画像信号を順に切り替えた場合の例を示す図である。
【符号の説明】
【００１６】
１０１  カメラ
１０２  多重化器
１０３  分離器
１０４  符号化器
１０５  多重化器
１０６  記録器
３０１  分離器
３０２  復号器
３０３  多重化器
３０４  ディスプレイ
【図１】
2005203833.tif 000003
【図２】
2005203833.tif 000004
【図３】
2005203833.tif 000005
【図４】
2005203833.tif 000006